(57)【要約】      （修正有）【課題】ピストン室内のピストンのパッキンが粉塵により損傷されることを防いで、自動スプレーガンの故障を防止する。【解決手段】スプリング押え板をスプリング押え板１８ａと１８ｂに分割した構造として、片方のスプリング押え板１８ａと他方のスプリング押え板１８ｂとを貫通するエア抜き孔１６の位置に、フィルタ１８ｃを配置して、両方のスプリング押え板１８ａと１８ｂとの間にフィルタ１８ｃをサンドイッチ状態に挟持させ、一体となるフィルタ付きスプリング押え板１８を形成する。このフィルタ付きスプリング押え板１８を、スプレーガン本体１にボルト止めして固定する。エア抜き孔１６を通ってピストン室４に進入しようとする粉塵を上記フィルタ１８ｃにて捕集するようにする。【選択図】図１
0003146271.tif 000002
【実用新案登録請求の範囲】
【請求項１】
一端側に液ライン開閉用のニードルピンを備えたピストンをピストン室に摺動自在に収納して、該ピストンの他端側とスプリング押え板との間に介在させられたスプリングで付勢されているときは液ラインがニードルピンで閉塞され、スプレーエアで上記スプリングに抗してピストンが移動したときに液ラインが開きエアと液が供給されるようにしてあるスプレーガン本体の上記液ラインにノズルが取り付けられている自動スプレーガンにおいて、上記スプリング押え板に設けてあるエア抜き孔に、フィルタを設けた構成を有することを特徴とする自動スプレーガン。
【請求項２】
フィルタを、スプリング押え板に設けてあるエア抜き孔の途中位置に挟持させて設けるようにした請求項１記載の自動スプレーガン。
【請求項３】
フィルタを、スプリング押え板に設けてあるエア抜き孔に嵌め込み、フィルタ押さえで保持させるようにした請求項１記載の自動スプレーガン。
【考案の詳細な説明】
【技術分野】
【０００１】
本考案は、スプレーエアによって液を霧化して対象物に吹付ける自動スプレーガンに関するものである。
【背景技術】
【０００２】
一般に自動スプレーガンは、スプレーエアを用いて液を霧化し、対象物に吹付けるもので、安定した作動が可能であり、他の自動制御技術を加味して条件に応じたさまざまな噴霧制御が可能であるため、ロボットによる自動塗装・金型への離型油塗布・成形品を取り出す前の冷却・布や紙の防水加工など、様々な用途に用いられている。
【０００３】
図３（イ）（ロ）は従来の自動スプレーガンの一例の概略図を示すもので、スプレーガン本体１には、該スプレーガン本体１に設けてあるエアライン２に連通するピストン室４が設けてあり、該ピストン室４内に、ピストン３が摺動自在に収納されている。又、上記スプレーガン本体１には、出口部１１に通じる液ライン９が設けてあると共に、上記ピストン室４と上記出口部１１とを連通するエア分岐ライン１０が設けられている。
【０００４】
上記ピストン３の一端側である図上の下側には、ニードルピン８が一体に取り付けてあり、又、他端側となる図上の上側には、図３（イ）に示すように、凹部５が形成されており、該凹部５とスプリング押え板７との間にスプリング６が介在されて、該スプリング６によりピストン３はニードルピン８と共に図上の下方向へ付勢されるようにしてある。上記ニードルピン８の先端部は、スプレーガン本体１に設けられた液ライン９の途中に位置して、液ライン９を開閉させるニードル弁を形成するようにしてある。
【０００５】
更に、上記スプレーガン本体１の出口部１１には、加圧された液を霧化して噴出させるノズル１２が螺合して取り付けられている。
【０００６】
なお、１３ａはピストン３の外周部に設けられたシール用のパッキン、１３ｂはニードルピン８の摺動部をシールするためのＯリング、１３ｃはニードルピン８の先端部に取り付けたＯリング、１４はＯリング１３ｂの押えリング、１５はノズル１２に設けた噴霧孔、１６はスプリング押え板７に設けたエア抜き孔、１７は止ねじである。
【０００７】
上記構成としてあることにより、自動スプレーガンから液を噴霧する場合には、エアライン２にスプレーエアを供給して、ピストン室４のピストン３をスプリング６に抗して移動させるようにする。これにより、ピストン３と一体のニードルピン８は、図３（イ）の実線で示す位置から図上の上方へ移動させられて液ライン９を開にさせることにより、上記エアライン２に供給されたスプレーエアは、上記分岐ライン１０を経てスプレーガン本体１の出口部１１に供給され、該出口部１１で液ライン９から供給される液と混合させられて、ノズル１２の複数の噴霧孔１５から液を霧化して対象物に吹付けられるようにしてある。この際、スプリング押え板７にはエア抜き孔１６が設けられているので、ピストン室４が気密状態にならず、ピストン３はスプレーエアの作用によりスムーズに作動させられるようにしてある。
【０００８】
一方、自動スプレーガンから液を噴霧させない場合には、ピストン室４にスプレーエアを作用させないようにして、図３（イ）に示すように、スプリング６の弾性力によりピストン３は図上の下方へ付勢されている状態とする、これにより、ニードルピン８により液ライン９を閉に保持した状態にし、液がスプレーガン本体１の出口部１１に流れてノズル１２から漏れないようにしてある。
【考案の開示】
【考案が解決しようとする課題】
【０００９】
ところが、図３（イ）（ロ）に示す従来の自動スプレーガンを粉塵が舞うような環境で使用している場合に、エアライン２へのスプレーエア供給を遮断したときには、スプリング６の弾性力によりピストン３が押し戻されることからピストン室４が負圧になり、ピストン押え板７のエア抜き孔１６から上記ピストン室４に吸気されるときに粉塵が吸い込まれてしまうことがある。
【００１０】
このピストン室４に入り込んだ粉塵は、スプレーエアの供給、遮断を繰り返してピストン３を作動させるとき、パッキン１３ａを損傷させてしまうため、自動スプレーガンの故障の原因になるという問題がある。
【００１１】
そこで、本考案は、粉塵が舞うような環境で使用しても、粉塵のピストン室への侵入を防ぐことにより、パッキン１３ａの損傷を未然に防止できる自動スプレーガンを提供しようとするものである。
【課題を解決するための手段】
【００１２】
本考案は、上記課題を解決するために、請求項１に係る考案に対応して、一端側に液ライン開閉用のニードルピンを備えたピストンをピストン室に摺動自在に収納して、該ピストンの他端側とスプリング押え板との間に介在させられたスプリングで付勢されているときは液ラインがニードルピンで閉塞され、スプレーエアで上記スプリングに抗してピストンが移動したときに液ラインが開きエアと液が供給されるようにしてあるスプレーガン本体の上記液ラインにノズルが取り付けられている自動スプレーガンにおいて、上記スプリング押え板に設けてあるエア抜き孔に、フィルタを設けた構成とする。
【００１３】
又、請求項２に係る考案に対応して、上記請求項１に係る考案における、フィルタを、スプリング押え板に設けてあるエア抜き孔の途中位置に挟持させて設けるようにした構成とする。
【００１４】
更に、請求項３に係る考案に対応して、上記請求項１に係る考案における、フィルタを、スプリング押え板に設けてあるエア抜き孔に嵌め込み、フィルタ押さえで保持させるようにした構成とする。
【考案の効果】
【００１５】
本考案によれば、以下の如き優れた効果を発揮する。  
（１）一端側に液ライン開閉用のニードルピンを備えたピストンをピストン室に摺動自在に収納して、該ピストンの他端側とスプリング押え板との間に介在させられたスプリングで付勢されているときは液ラインがニードルピンで閉塞され、スプレーエアで上記スプリングに抗してピストンが移動したときに液ラインが開きエアと液が供給されるようにしてあるスプレーガン本体の上記液ラインにノズルが取り付けられている自動スプレーガンにおいて、上記スプリング押え板に設けてあるエア抜き孔に、フィルタを設けた構成としてあるので、粉塵がピストン室に入り込むことによるパッキンの損傷を未然に防止して、自動スプレーガンの故障を防止することができる。  
（２）又、フィルタを、スプリング押え板に設けてあるエア抜き孔の途中位置に挟持させて設けるようにした構成としてあるので、フィルタに目詰まりが生じても、スプリング押え板を取り外してフィルタ部分を洗浄するか、あるいは、フィルタ付きのスプリング押え板に交換することにより、容易に再使用することができる。  
（３）更に、フィルタを、スプリング押え板に設けてあるエア抜き孔に嵌め込み、フィルタ押さえで保持させるようにした構成としてあるので、流量調整ねじがスプリング押え板に設けられているような自動スプレーガンであっても、粉塵がピストン室に入り込むことによるパッキンの損傷を未然に防いで、自動スプレーガンの故障を防止することができる。更に又、フィルタに目詰まりが生じても、スプリング押え板を取り外してフィルタのみを洗浄したり、交換するか、スプリング押え板を交換することにより、容易にフィルタリング機能を回復させて自動スプレーガンに再使用することができる。
【考案を実施するための最良の形態】
【００１６】
以下、図面に基づいて本考案を実施するための最良の形態を説明する。
【００１７】
図１（イ）（ロ）は本考案の自動スプレーガンの実施の一形態を示すもので、図３（イ）（ロ）に示した従来の自動スプレーガンと同様の構成において、フィルタ１８ｃを、２分割されたスプリング押え板１８ａ，１８ｂに挟持されるように設けた構成とする。
【００１８】
詳述すると、図３に示すスプリング押え板７を厚さ方向に２分割した構造のスプリング押え板１８ａ，１８ｂを用意し、該２枚のスプリング押え板１８ａと１８ｂの間に挟持させるフィルタ１８ｃを、各スプリング押え板１８ａと１８ｂの各々の中央部に設けたエア抜き孔１６の位置に配置させて、両スプリング押え板１８ａと１８ｂ間に挟持させて一体構造のフィルタ付きスプリング押え板１８とするようにする。上記フィルタ１８ｃは、たとえば、２００〜４００メッシュの網状物としてあり、接着剤などによりスプリング押え板１８ａ，１８ｂのいずれか一方又は双方にずれないように固定して設けるようにする。
すなわち、片方のスプリング押え板１８ａと他方のスプリング押え板１８ｂとを、上記フィルタ１８ｃを挟んだサンドイッチ状態になるように重ね合わせて、スプリング押え板１８ａと１８ｂのエア抜き孔１６の途中位置に上記フィルタ１８ｃを挟持させるようし、一体となるフィルタ付きスプリング押え板１８を形成するようにしてある。
【００１９】
その他の構成は、図３（イ）（ロ）に示すものと同じであり、同一のものには同一符号が付してある。
【００２０】
かかる構成において、自動スプレーガンから液を噴霧させるときには、ピストン室４内のピストン３がスプリング６に打ち勝って図１（イ）で上方へ移動させられることにより、ピストン室４内の空気は、スプリング押え板１８ａのエア抜き孔１６、フィルタ１８ｃ、スプリング押え板１８ｂのエア抜き孔１６を経て外部へ押し出されてエア抜きされる。
【００２１】
次に、自動スプレーガンから液の噴霧を停止させるため、エアライン２へのスプレーエアの供給を遮断したときには、スプリング６の弾性力によりピストン３が図１（イ）で下方へ押し戻されることによりピストン室４が負圧になる。これにより、フィルタ付きピストン押え板１８のエア抜き孔１６を通して外気がピストン室４内に吸入される。このとき吸入される空気に伴って、上記ピストン室４に粉塵が吸い込まれようとするが、２分割されたスプリング押え板１８ａ，１８ｂ間に挟持されたフィルタ１８ｃにより粉塵は集塵されるので、粉塵がピストン室４に入り込むことを防止することができる。
【００２２】
本考案の自動スプレーガンによれば、上記のように、粉塵がピストン室４に入り込むことを防止できることから、ピストン３のパッキン１３ａの損傷を未然に防止でき、自動スプレーガンの故障を防止することができる。又、長期間の使用により、フィルタ１８ｃに目詰まりが生じた場合は、フィルタ付きスプリング押え板１８のフィルタ１８ｃを洗浄することにより、容易にフィルタリング機能を回復させて自動スプレーガンに再使用することができるが、本考案の特徴であるフィルタ付きスプリング押え板１８自体を新しいものに交換するようにして、再使用できるようにすることもできる。したがって、図３（イ）（ロ）に示したような、従来の自動スプレーガンにも簡単に適用できる。
【００２３】
次に、図２（イ）（ロ）は本考案の自動スプレーガンの実施の他の形態を示すもので、図３（イ）（ロ）に示した従来の自動スプレーガンと同様の構成において、ピストン３の図上の上側に凹部５を形成させることに代えて凸部１９を形成させるようにすると共に、スプリング押え板２２ａの中央部に螺合された流量調整ねじ２０の先端位置とピストン３の凸部１９とを干渉させるようにしてピストン３のストロークを調整して、スプレーエア供給時に、上記凸部１９に流量調整ねじ２０にピストン３を接触させることによりピストン３の移動量を制限することで、該ピストン３と一体のニードルピン８の開度を調整し、液ライン９からスプレーガン本体１の出口部１１に供給される液の流量を調整できるようにしてある自動スプレーガンにおいて、フィルタ２２ｃを、スプリング押え板２２ａのエア抜き孔１６に連通する凹部２１に嵌め込み、フィルタ押さえ２２ｂで保持させるようにした構成としたものである。
【００２４】
すなわち、上記スプリング押え板２２ａには、中央部を外れた所要箇所に、ピストン室４に連通するエア抜き孔１６が設けてあり、該エア抜き孔１６に凹部２１を形成し、該凹部２１に嵌合させたフィルタ２２ｃを、該凹部２１に圧入したリング状のフィルタ押さえ２２ｂによりスプリング押え板２２ａのエア抜き孔１６に保持させ、フィルタ付きスプリング押え板２２を形成するようにしたものである。
【００２５】
なお、フィルタ２１ｃの網目は、前記した図１（イ）（ロ）に示した実施の形態のフィルタ１７ｃと同様のものとしてある。
【００２６】
その他の構成は、図３（イ）（ロ）に示すものと同じであり、同一のものには同一符号が付してある。
【００２７】
図２に示す実施の形態の場合も、図１に示した実施の形態と同様に、自動スプレーガンから液を噴霧させるときには、ピストン室４内のピストン３がスプリング６に打ち勝って移動させられることにより、ピストン室４内の空気は、フィルタ押さえ２２ｂ内、フィルタ２２ｃ、スプリング押え板２２ａのエア抜き孔１６を経てピストン室４から外部へ吐出される。
【００２８】
次に、自動スプレーガンから液を噴霧させるのを止めるため、エアライン２へのスプレーエアの供給を遮断したときには、スプリング６の弾性力によりピストン３が押し戻されることによりピストン室４が負圧になり、フィルタ付きピストン押え板２２のエア抜き孔１６から外気が吸入されるが、このとき外部から上記ピストン室４に粉塵が吸い込まれようとしても、フィルタ２２ｃにより粉塵が集塵されるので、粉塵がピストン室４に入り込むことはない。
【００２９】
したがって、この実施の形態によれば、図１に示した実施の形態と同様の作用効果を得ることができるほかに、液ライン９からスプレーガン本体１の出口部１１に供給される液の流量を調整できるタイプの自動スプレーガンにも防塵対策を施すことができる。
【００３０】
なお、本考案は、上記した実施の形態にのみ限定されるものではなく、たとえば、図１（イ）（ロ）に示した実施の形態において、フィルタ１８ｃを接着剤などで固定する場合を示したが、これに限定されるものではなく、たとえば、２分割されたスプリング押え板１８ａ，１８ｂのいずれか一方のエア抜き孔１６の位置に凹部を設けてフィルタ１８ｃを嵌め込むようにして設けてもよいこと、図２（イ）（ロ）の実施の形態において、スプリング押え板２２ａの向きは、フィルタ押さえ２２ｂに脱落防止手段が施してあれば、図２（イ）と反対向きでもよいこと、又、図示した自動スプレーガン以外の形式を有する自動スプレーガンにも適用できること、その他本考案の要旨を逸脱しない範囲内において種々変更を加え得ることは勿論である。
【図面の簡単な説明】
【００３１】
【図１】本考案の自動スプレーガンの実施の一形態を示すもので、（イ）は概略断面図、（ロ）は（イ）のＡ−Ａ方向矢視図である。
【図２】本考案の自動スプレーガンの実施の他の形態を示すもので、（イ）は概略断面図、（ロ）は（イ）のＢ−Ｂ方向矢視図である。
【図３】従来提案されている自動スプレーガンを示すもので、（イ）は概略断面図、（ロ）は（イ）のＣ−Ｃ方向矢視図である。
【符号の説明】
【００３２】
１  スプレーガン本体
３  ピストン
４  ピストン室
６  スプリング
８  ニードルピン
９  液ライン
１２  ノズル
１６  エア抜き孔
１８  スプリング押え板
１８ｃ  フィルタ
２２  スプリング押え板
２２ｂ  フィルタ押さえ
２２ｃ  フィルタ
【図１】
0003146271.tif 000003
【図２】
0003146271.tif 000004
【図３】
0003146271.tif 000005